(57)【要約】【課題】従来は、表示機能を持ったキーレスエントリー型の子機情報に表示するものはあったが、携帯して持ち出す情報には限りがあった。【解決手段】格納された制御情報をあらかじめ選択し、電波を通じ複写する手段を持つ外部の情報端末と、電波を通じて複写された情報を一時記憶し、一時記憶された情報を電波を通じて別の情報表示機に転送する手段を持った無線小型情報記録子機。無線小型情報記録子機に表示機能が必要ないことを特徴とする情報表示システム。転送操作が釦１押しで実施でき、転送の終了を表示する表示器を持つことを特徴とする無線小型情報記録子機を含む情報表示システム。【選択図】図５
2011047781.tif 000002
【特許請求の範囲】
【請求項１】
格納された情報を持ち、その情報をあらかじめ選択する制御情報、および電波を通じて複写する手段を持った外部のパーソナルコンピューターあるいは情報端末と、電波を通じて複写された情報を一時記憶する手段を持ち、さらに前記の一時記憶された情報またはその一部を電波を通じて別の情報表示機に転送する手段を持った無線小型情報記録子機、および前記の情報表示機は転送された情報を表示することで無線小型情報記録子機に表示機能が必要ないことを特徴とする情報表示システム。
【請求項２】
転送の操作が釦１押しで実施できることを特徴とする無線小型情報記録子機を含む請求項１に記載する情報表示システム。
【請求項３】
転送の終了を表示する表示器を持つことを特徴とする無線小型情報記録子機を含む請求項１乃至２に記載する情報表示システム。
【請求項４】
車載情報端末器に格納された情報を、情報表示端末に電波を通じて転送し、当該情報を記憶部に格納し、格納した情報を表示することを特徴とする請求項1から3に記載の情報表示システム。
【発明の詳細な説明】
【技術分野】
【０００１】
本発明は、カーナビゲーション等の車載情報機器の情報表示システムに係り、特に、カーナビゲーションで得られた情報を車外で利用できる情報利用システムに関する。
【背景技術】
【０００２】
近年、カーナビゲーション等の車載情報機器に通信機能が追加されることが多く、通信機能を使用して走行情報のほかに地図上の観光情報や店舗の広告情報が提供されることができるようになっている。
【０００３】
広告情報等の場合、クーポン等の固有の情報を含むことから、車内だけではなく社外でその情報を参照する必要がある場合がある。
【０００４】
これまでは、例えば特許文献１にあるような、表示機能を持ったキーレスエントリー子機に情報を表示するものがあった。
【先行技術文献】
【特許文献】
【０００５】
【特許文献１】特開２００６−１２３７３８号公報
【発明の概要】
【発明が解決しようとする課題】
【０００６】
解決しようとする問題点は、小型のキーレスエントリー型の子機では表示する情報画面の面積が十分に取れず、携帯して持ち出す情報には限りがあった。
【０００７】
本発明は、外部に持ち出す無線小型情報記録子機（子機）の寸法が最小であっても十分な容量の情報を表示することのできるシステムを提供する。
【課題を解決するための手段】
【０００８】
以上の課題を解決するために、無線小型情報記録子機の持ち出し先に別途、情報表示機（表示ディスプレイ）を設置して対応する事を特徴とする。
【発明の効果】
【０００９】
従来の方法に比べ小型軽量で持ち運び安く、操作も簡単で、より多くの情報を表示することが可能になる。
【００１０】
外部に持ち出す無線小型情報記録子機の操作釦は２つあり、１つはカーナビゲーション等の車載情報機器から無線小型情報記録子機に情報をコピーする場合に使用する。もう１つは無線小型情報記録子機から情報表示機に情報を伝送する場合に使用することで操作が単純である。
【実施例】
【００１１】
図５は、実施例を示し道路に設置された側路中継機２４より広告情報やクーポン等の情報が無線でカーナビなどの車載情報機器２５に送られ表示する。
ユーザーは自分の必要な情報を表示した場合に図２の保存キー８を押す。
車載機２５から無線小型情報記録子機２６へ無線通信により情報を送る。
ユーザーは図５のようにレストランなどに無線小型情報記録子機２６を持ちこみ図２の読出キー９を押すことで、図４の情報表示機２７に広告情報やクーポン等の情報を表示する。
また、逆に図５のようにレストランなどからの情報表示機２７から広告情報やクーポンやくちコミ等も情報も送られ表示する。
【００１２】
図１は、無線小型情報記録子機の構成を示し、アンテナ１が使用する電波の波長に調整されている。無線部２はMPU３および制御プログラム格納のフラシュメモリー６によって制御され、周波数を選択する。電源は電池７から供給される。
【００１３】
車載情報機器の交信エリアで保存キー４が押された場合に車載情報機器の情報をMPU３が受信してMPU３内部の一時記録メモリーに格納し、格納された表示として保存キー４を照光する。
【００１４】
無線小型情報記録子機を移動して情報表示機の交信エリアに入って読み出しキー５を押すと、MPU３が内蔵の一時記録メモリーから情報表示機に送信し、読み出しキー５の転送表示を点滅すると共に保存キー４の格納表示を消して転送されたことを表示する。
【００１５】
図２は無線小型情報記録子機の外形を表し、キーホルダーへの対応をしており携帯に利便のある形態をなす。
【００１６】
無線小型情報記録子機の操作釦は通信相手を識別する機能を持ち転送方向が確定可能な場合は操作釦が１つであっても良い。
【００１７】
図３は情報表示機の構成を示し、アンテナ１２が使用する電波の波長に調整されている。無線部１３はMPU１４および制御プログラム格納のフラシュメモリー１９によって制御され、周波数を選択する。電源１５は外部から供給される電力を内部用に調整して供給し、MPU１４を通じて電源スイッチ１８の操作で動作の開始・停止を行う。
【００１８】
無線小型情報記録子機からの情報を受信して、RAM２０に書き込むと共にLCD表示器１６に表示する。LCD表示器１６の表示濃度はコントラスト調整キー１７の操作をMPU１４が検出してLCD表示器１６を制御する。
【００１９】
情報表示機の表示部はLCD表示器（液晶）でも、電子ペーパーであってもよい。
【００２０】
図４は情報表示機の概観を示す。
【００２１】
無線小型情報記録子機、車載情報機器間、および無線小型情報記録子機、情報表示機間に使用する無線通信方式は、ブルーツース方式、Zig-Bee方式、小電力無線方式の代表的な方式から選択できる。
【産業上の利用可能性】
【００２２】
広告情報やクーポン、あるいはメモ等の情報を簡単な釦操作によって、持ち運びおよび再表示ができる。
【００２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２４】
【図１】図１は無線小型情報記録子機ブロック図面
【図２】図２は無線小型情報記録子機の外観図面
【図３】情報表示機ブロック図面
【図４】情報表示機の外観図面
【図５】システム構成図
【符号の説明】
【００２５】
１．アンテナ
２．無線部
３．MPU
４．保存キー
５．読出キー
６．フラッシュメモリ
７．電池
８．保存キー
９．読出キー
１０．電池蓋
１１．キーホルダ接続用金具
１２．アンテナ
１３．無線部
１４．MPU
１５．電源
１６．LCD表示器
１７．コントラスト調整キー
１８．電源スイッチ
１９．フラッシュメモリ
２０．RAM
２１．LCD画面
２２．電源スイッチ
２３．コントラスト調整キー
２４．路側中継機
２５．車載情報機器
２６．無線小型情報記録子機
２７．情報表示機
【図１】
2011047781.tif 000003
【図２】
2011047781.tif 000004
【図３】
2011047781.tif 000005
【図４】
2011047781.tif 000006
【図５】
2011047781.tif 000007